【手続補正書】
【提出日】平成25年12月24日(2013.12.24)
【手続補正１】
【補正対象書類名】特許請求の範囲
【補正対象項目名】全文
【補正方法】変更
【補正の内容】
【特許請求の範囲】
【請求項１】
被験者の気道と流体連通する呼吸回路に挿入されるガス測定モジュールであって、前記ガス測定モジュールが前記呼吸回路に挿入される場合、被験者の気道からのガスが流路を通って送られるように、第１の開口部と第２の開口部との間に前記流路を形成する、第１の開口部及び第２の開口部を持つチャンバと、前記チャンバにより形成された前記流路を通る光経路に沿って赤外線の電磁波を放射する赤外線ソースと、第１の波長帯域の電磁波をフィルタリングする第１のフィルタ要素及び第２の波長帯域の電磁波をフィルタリングする第２のフィルタ要素を含む可動のフィルタ部材と、前記フィルタ部材によりフィルタリングされ、前記チャンバにより形成された前記流路を通った赤外線の電磁波を受信し、受信した赤外線の電磁波の一つ以上のパラメータに関係のある情報を伝達する出力信号を生成するために、前記光経路に沿った定位置に保持された感光性検出器と、第１の位置で、第１のフィルタ要素が前記光経路に置かれ、第２の位置で、第２のフィルタ要素が前記光経路に置かれる、第１の位置と第２の位置との間で前記フィルタ部材を動かすアクチュエータとを有し、
（ｉ）前記光経路を選択的に阻止するために、（ｉ）（ａ）前記赤外線ソースと第１の開口部との間、若しくは（ｉ）（ｂ）第２の開口部と前記フィルタ部材との間に位置されるゲートを介して、前記フィルタ部材が第１の位置と第２の位置との間で作動しているとき、電磁エネルギが前記フィルタ部材に入射することを阻止されるか、
（ｉｉ）前記感光性検出器の出力信号をプロセッサと選択的に結合するスイッチを介して、第１の位置と第２の位置との間で作動している前記フィルタ部材に応じて、前記プロセッサから前記感光性検出器の出力信号が分離されるか、及び／又は
（ｉｉｉ）前記赤外線ソース及び前記アクチュエータの一つ以上を制御する一つ以上のコントローラを介して、フィルタリングするための前記手段がフィルタ要素に対応する位置に置かれて調整されるパルスの電磁波を放射するように、前記赤外線ソースが制御される、ガス測定モジュール。
【請求項２】
前記フィルタ部材が、第３の波長帯域の電磁波をフィルタリングする第３のフィルタ要素を更に含み、前記アクチュエータが、第１の位置、第２の位置及び第３の位置へ前記フィルタ部材を動かし、第３の位置で、第３のフィルタ要素が前記光経路に置かれる、請求項１に記載のガス測定モジュール。
【請求項３】
前記赤外線ソースから前記感光性検出器の前記定位置までの前記光経路の長さが約１９ｍｍ未満である、請求項１に記載のガス測定モジュール。
【請求項４】
前記フィルタ部材が前記チャンバから下流の前記光経路に沿って配置される、請求項１に記載のガス測定モジュール。
【請求項５】
前記フィルタ部材が回転軸の周りを回転可能であり、第１の位置は前記フィルタ部材の第１の回転方向の位置であり、第２の位置は前記フィルタ部材の第２の回転方向の位置である、請求項１に記載のガス測定モジュール。
【請求項６】
被験者の気道と流体連通する呼吸回路に挿入されるガス測定モジュール内のガスを分析する方法であって、被験者の気道からのガスが流れる前記ガス測定モジュールにより形成される流路を通る光経路に沿って、赤外線ソースを介して赤外線の電磁波を放射するステップと、第１の位置で、フィルタ部材の第１のフィルタ要素が前記光経路に置かれ、第２の位置で、前記フィルタ部材の第２のフィルタ要素が前記光経路に置かれ、第１のフィルタ要素が第１の波長範囲の電磁波をフィルタリングし、第２のフィルタ要素が第２の波長範囲の電磁波をフィルタリングする、第１の位置と第２の位置との間で前記フィルタ部材を、アクチェータを介して動かすステップと、前記光経路に沿って前記フィルタ部材によりフィルタリングされた電磁波を、感光性検出器を介して受信するステップと、受信した赤外線の電磁波の一つ以上のパラメータに関係のある情報を伝達する出力信号を、前記感光性検出器を介して生成するステップとを有し、
（ｉ）前記光経路を選択的に阻止するために、（ｉ）（ａ）前記赤外線ソースと第１の開口部との間、若しくは（ｉ）（ｂ）第２の開口部と前記フィルタ部材との間に位置されるゲートを介して、前記フィルタ部材が第１の位置と第２の位置との間で作動しているとき、電磁エネルギが前記フィルタ部材に入射することを阻止されるか、
（ｉｉ）前記感光性検出器の出力信号をプロセッサと選択的に結合するスイッチを介して、第１の位置と第２の位置との間で作動している前記フィルタ部材に応じて、前記プロセッサから前記感光性検出器の出力信号が分離されるか、及び／又は
（ｉｉｉ）前記赤外線ソース及び前記アクチュエータの一つ以上を制御する一つ以上のコントローラを介して、フィルタリングするための前記手段がフィルタ要素に対応する位置に置かれて調整されるパルスの電磁波を放射するように、前記赤外線ソースが制御される、方法。
【請求項７】
前記フィルタ部材を動かすステップは、前記フィルタ部材の第３のフィルタ要素が第３の位置で前記光経路に配置され、第３のフィルタ要素が第３の波長範囲の電磁波をフィルタリングする、第３の位置に前記フィルタ部材を動かすステップを更に含む、請求項６に記載の方法。
【請求項８】
前記光経路の長さが約１９ｍｍ未満である、請求項６に記載の方法。
【請求項９】
前記フィルタ部材が前記流路から下流に前記光経路に沿って配置される、請求項６に記載の方法。
【請求項１０】
第１の位置と第２の位置との間に前記フィルタ部材を動かすステップは、第１の位置に対応する前記フィルタ部材の第１の回転方向と第２の位置に対応する前記フィルタ部材の第２の回転方向との間で前記フィルタ部材を回転させるステップを有する、請求項６に記載の方法。
【請求項１１】
被験者の気道と流体連通する呼吸回路に挿入される、チャンバ内のガスを分析するシステムであって、被験者の気道からのガスが流れる流路を通る光経路に沿って赤外線の電磁波を放射するための手段と、第１の波長範囲の電磁波をフィルタリングする第１の手段、及び第２の波長範囲の電磁波をフィルタリングする第２の手段を有する、前記光経路に沿って配置された電磁波をフィルタリングするための手段と、第１の位置で、フィルタリングする第１の手段が前記光経路に沿って進む電磁波をフィルタリングし、第２の位置で、フィルタリングする第２の手段が前記光経路に沿って進む電磁波をフィルタリングする、第１の位置と第２の位置との間でフィルタリングするための前記手段を動かすための手段と、フィルタリングするための前記手段によりフィルタリングされた電磁波を前記光経路に沿って受信し、受信した赤外線の電磁波の一つ以上のパラメータに関係のある情報を伝達する出力信号を生成するための手段とを有し、
（ｉ）前記光経路を選択的に阻止するために、（ｉ）（ａ）放射するための前記手段と前記チャンバ内の第１の開口部との間、若しくは（ｉ）（ｂ）前記チャンバ内の第２の開口部とフィルタリングするための前記手段との間に位置されるゲートを介して、フィルタリングするための前記手段が第１の位置と第２の位置との間で作動しているとき、電磁エネルギがフィルタリングするための前記手段に入射することを阻止されるか、
（ｉｉ）受信し生成するための前記手段の出力信号をプロセッサと選択的に結合するスイッチを介して、第１の位置と第２の位置との間で作動しているフィルタリングするための前記手段に応じて、前記プロセッサから、電磁波を受信し出力信号を生成するための前記手段の出力信号が分離されるか、及び／又は
（ｉｉｉ）放射するための前記手段及び動かすための前記手段の一つ以上を制御する一つ以上のコントローラを介して、フィルタリングするための前記手段がフィルタ要素に対応する位置に置かれて調整されるパルスの電磁波を放射するように、放射するための前記手段が制御される、システム。
【請求項１２】
フィルタリングするための前記手段が、更に、第３の波長範囲の電磁波をフィルタリングする第３の手段を有し、フィルタリングするための前記手段を動かすための前記手段は、更に、フィルタリングする第３の手段が第３の位置で前記光経路に沿って進む電磁波をフィルタリングする、第３の位置へフィルタリングするための前記手段を動かす、請求項１１に記載のシステム。
【請求項１３】
前記光経路の長さが約１９ｍｍ未満である、請求項１１に記載のシステム。
【請求項１４】
フィルタリングするための前記手段が前記流路から下流の前記光経路に沿って配置される、請求項１１に記載のシステム。
【請求項１５】
第１の位置と第２の位置との間でフィルタリングするための前記手段を動かすための前記手段が、第１の位置に対応する第１の回転方向と、第２の位置に対応する第２の回転方向との間でフィルタリングするための前記手段を回転させる、請求項１１に記載のシステム。